(57)【要約】【課題】  コストアップや大型化を招くことなく、原稿サイズの異なる原稿が混在した状態で原稿載置部に載置された場合であっても原稿のサイズを確実に検出することのできる複合機を提供する。【解決手段】  ガイドローラの周面において、周方向の所定位置に軸方向に亘って黒色が配色された原稿サイズ検出用マークＭを設け、各原稿の画像を読み取る際には、原稿サイズ検出用マークＭをＣＣＤの撮像面に対して原稿の背後に位置させた上で撮像し、原稿サイズ検出用マークＭの画像において欠落した部位Ｘの長さＬを検出することで原稿のサイズを検出する。【選択図】      図５
2005136792.tif 000002
【特許請求の範囲】
【請求項１】
原稿を撮像する撮像センサと、前記撮像センサにより原稿の画像が読み取られる画像読取位置に搬送された原稿を前記撮像センサと反対側の紙面に接触しながら下流側に搬送する搬送ローラとを備えた画像形成装置において、
前記搬送ローラは、前記撮像センサの撮像範囲内に配置されているとともに、白色に配色された周面における周方向の所定位置に白色以外の第２の色が配色された原稿サイズ検出用マークが、前記画像読取位置に搬送され得る原稿のうち前記原稿の搬送方向と略垂直な方向において最大の幅を有する原稿のその幅以上の長さを有して設けられており、
前記撮像センサに対して前記画像読取位置に搬送された原稿の背後で前記原稿サイズ検出用マークが前記撮像センサの撮像面に向いた状態となるように前記搬送ローラの駆動を制御するローラ制御手段と、
前記ローラ制御手段により前記搬送ローラの駆動が制御された状態で前記撮像センサに撮像動作を行わせる撮像制御手段と、
前記原稿サイズ検出用マークの画像において前記原稿の存在により欠落した部分の長さに基づき原稿サイズを検出する原稿サイズ検出手段と
を備えることを特徴とする画像形成装置。
【請求項２】
前記ローラ制御手段及び撮像制御手段は、前記画像読取位置に原稿が搬送されるたびに前記制御を行い、前記原稿サイズ検出手段は、原稿ごとに原稿サイズを検出することを特徴とする請求項１に記載の画像形成装置。
【請求項３】
前記撮像センサの感度ムラを補正するシェーディング補正手段を備え、前記シェーディング補正手段によるシェーディング補正処理を実行するとき、前記ローラ制御手段は、前記搬送ローラの周面のうち白色部分を前記撮像センサの撮像面に向け、前記撮像制御手段は、前記白色部分が前記撮像センサの撮像面に向けられた状態で前記撮像センサに撮像動作を行わせることを特徴とする請求項１または２に記載の画像形成装置。
【発明の詳細な説明】
【技術分野】
【０００１】
本発明は、画像形成装置の技術分野に属し、特に、原稿のサイズを検出する技術に関する。
【背景技術】
【０００２】
従来、原稿を載置する原稿トレイに備えられる原稿規制部材（カーソル）に連動する部材を設け、この連動部材の移動を利用した状態変化を検出することで、原稿規制部材により原稿の移動が規制される方向の原稿のサイズ（原稿の幅）を読み取る原稿サイズ読み取り装置が知られている（例えば、下記特許文献１）。
【０００３】
下記特許文献１には、コイルと、原稿載置部上に備えられる端部規制板に連結部を介して連結され、この端部規制板に連動してコイルの内部を移動する可動鉄芯とを備え、端部規制板の位置、延いてはコイル内部における可動鉄芯の位置に応じたインダクタンスを検出することで原稿のサイズを読み取る技術が記載されている。
【特許文献１】特開平８−１７５７４５号公報
【発明の開示】
【発明が解決しようとする課題】
【０００４】
しかしながら、前記特許文献１においては、原稿サイズの異なる原稿が混在した状態で原稿載置部に載置された場合、端部規制板はそれらの原稿のうち最大サイズを有する原稿の端部を規制する位置にセットされるため、その最大の原稿より小さな原稿については、サイズを読み取ることができない。その結果、例えば原稿サイズ読み取り装置を画像形成装置等に搭載したとき、原稿の大きさに応じた記録紙にプリントしたいにも拘らず、最大サイズの原稿に対応する大きさの記録紙にプリントされる状態が発生することとなる。
【０００５】
また、このように原稿規制板の移動に応じて可動鉄芯をコイル内部で連動させる構成や、インダクタンスの変化を原稿サイズの情報に変換するための回路等を備えることにより、画像形成装置等のコストアップや大型化を招来することとなる。
【０００６】
本発明は、上記事情に鑑みてなされたもので、コストアップや大型化を招くことなく、原稿サイズの異なる原稿が混在した状態で原稿載置部に載置された場合であっても原稿のサイズを確実に検出することのできる画像形成装置を提供することを目的とする。
【課題を解決するための手段】
【０００７】
請求項１に記載の発明は、原稿を撮像する撮像センサと、前記撮像センサにより原稿の画像が読み取られる画像読取位置に搬送された原稿を前記撮像センサと反対側の紙面に接触しながら下流側に搬送する搬送ローラとを備えた画像形成装置において、前記搬送ローラは、前記撮像センサの撮像範囲内に配置されているとともに、白色に配色された周面における周方向の所定位置に白色以外の第２の色が配色された原稿サイズ検出用マークが、前記画像読取位置に搬送され得る原稿のうち前記原稿の搬送方向と略垂直な方向において最大の幅を有する原稿のその幅以上の長さを有して設けられており、前記撮像センサに対して前記画像読取位置に搬送された原稿の背後で前記原稿サイズ検出用マークが前記撮像センサの撮像面に向いた状態となるように前記搬送ローラの駆動を制御するローラ制御手段と、前記ローラ制御手段により前記搬送ローラの駆動が制御された状態で前記撮像センサに撮像動作を行わせる撮像制御手段と、前記原稿サイズ検出用マークの画像において前記原稿の存在により欠落した部分の長さに基づき原稿サイズを検出する原稿サイズ検出手段とを備えることを特徴とする画像形成装置である。
【０００８】
請求項２に記載の発明は、請求項１に記載の画像形成装置において、前記ローラ制御手段及び撮像制御手段は、前記画像読取位置に原稿が搬送されるたびに前記制御を行い、前記原稿サイズ検出手段は、原稿ごとに原稿サイズを検出することを特徴とするものである。
【０００９】
請求項３に記載の発明は、請求項１または２に記載の画像形成装置において、前記撮像センサの感度ムラを補正するシェーディング補正手段を備え、前記シェーディング補正手段によるシェーディング補正処理を実行するとき、前記ローラ制御手段は、前記搬送ローラの周面のうち白色部分を前記撮像センサの撮像面に向け、前記撮像制御手段は、前記白色部分が前記撮像センサの撮像面に向けられた状態で前記撮像センサに撮像動作を行わせることを特徴とするものである。
【発明の効果】
【００１０】
請求項１に記載の発明によれば、搬送ローラの白色に配色された周面における周方向の所定位置に白色以外の第２の色が配色された原稿サイズ検出用マークを、画像読取位置に搬送され得る原稿のうち前記原稿の搬送方向と略垂直な方向において最大の幅を有する原稿のその幅以上の長さを有して設け、撮像センサに対して前記画像読取位置に搬送された原稿の背後で前記原稿サイズ検出用マークが前記撮像センサの撮像面に向いた状態となるように前記搬送ローラの駆動を制御し、その状態で撮像センサに撮像動作を行わせ、原稿サイズ検出用マークの画像において原稿の存在により欠落した部分の長さに基づき原稿サイズを検出するようにしたので、コストアップや大型化を招くことなく、原稿のサイズを確実に検出することが可能となる。
【００１１】
請求項２に記載の発明によれば、ローラ制御手段及び撮像制御手段は、画像読取位置に原稿が搬送されるたびに制御を行い、原稿サイズ検出手段は、原稿ごとに原稿サイズを検出するようにしたので、原稿の束が原稿サイズの異なる原稿が混在するものであっても、各原稿のサイズを確実に検出することができる。
【００１２】
請求項３に記載の発明によれば、撮像センサの感度ムラを補正するシェーディング補正手段によるシェーディング補正処理を実行するとき、搬送ローラの周面のうち白色部分を撮像センサの撮像面に向け、この状態で撮像センサに撮像動作を行わせるようにしたので、前記搬送ローラがシェーディング補正を行うためのものとして備えられている画像形成装置において、この搬送ローラを原稿のサイズを検出するためのものとして兼用することができる。
【発明を実施するための最良の形態】
【００１３】
以下、本発明に係る画像形成装置の一例である複合機の一実施形態を図面に基づいて説明する。図１は、本実施形態に係る複合機の内部構成を概略的に示す側面図である。
【００１４】
複合機は、コピー機能、プリンタ機能、スキャナ機能及びファクシミリ機能等の機能を兼ね備えている。図１に示すように、複合機１は、本体部２と、本体部２の左方に配設されたスタックトレイ３と、本体部２の上部に配設された原稿読取部４と、原稿読取部４の上方に配設された原稿給送部５とを有している。
【００１５】
複合機１のフロント部には、操作部６が設けられている。操作部６には、ユーザが印刷実行指示を入力するためのスタートキー７と、印刷部数等を入力するためのテンキー８と、各種複写動作の操作ガイド情報等を表示し、これら各種設定入力用にタッチパネル機能を有する液晶ディスプレイ等からなる表示部９と、表示部９で設定された設定内容等をリセットするリセットキー１０と、実行中の印刷（画像形成）動作を停止させるためのストップキー１１と、コピー機能、プリンタ機能、スキャナ機能及びファクシミリ機能を切り換えるための機能切り換えキー１２とが備えられている。
【００１６】
原稿読取部４は、ＣＣＤ（Charge Coupled Device）センサ及び露光ランプ等からなる画像読取部１３と、ガラス等の透明部材により構成された原稿台１４と、コンタクトガラス１５とを備える。画像読取部４は、図略の駆動部によって移動可能に構成され、原稿台１４に載置された原稿を読み取るときは、原稿台１４に対向する位置で原稿面に沿って移動され、原稿画像を走査しつつ取得した画像データを制御部６７（図４参照）へ出力する。また、原稿給送部５により給送された原稿を読み取るときは、コンタクトガラス１５と対向する位置に移動され、コンタクトガラス１５を介して原稿給送部５による原稿の搬送動作と同期して原稿の画像を取得し、その画像データを制御部６７へ出力する。
【００１７】
原稿給送部５は、原稿を載置するための原稿載置部１６と、画像読取済みの原稿を排出するための原稿排出部１７と、原稿載置部１６に載置された原稿を１枚ずつ繰り出してコンタクトガラス１５に対応する位置へ搬送し、原稿排出部１７へ排出するための給紙ローラ及び搬送ローラ等からなる原稿搬送機構１８を備える。原稿搬送機構１８は、さらに原稿を表裏反転させてコンタクトガラス１５と対向する位置へ再搬送する後述の用紙反転機構を備え、原稿の両面の画像を、コンタクトガラス１５を介して原稿読取部４から読取可能にしている。
【００１８】
また、原稿給送部５は、その前面側が上方に移動可能となるように本体部２に対して回動自在に設けられている。原稿給送部５の前面側を上方に移動させて原稿台１４上面を開放することにより、原稿台１４の上面に読み取り原稿、例えば見開き状態にされた書籍等を操作者が載置できるようになっている。
【００１９】
本体部２は、複数の給紙カセット１９と、給紙カセット１９から記録紙を１枚ずつ繰り出して記録部２１へ搬送する給紙ローラ２０と、給紙カセット１９から搬送されてきた記録紙に画像を形成する記録部２１とを備える。
【００２０】
記録部２１は、原稿読取部４で取得された画像データに基づきレーザ光等を出力して感光体ドラム２２を露光する光学ユニット２３と、感光体ドラム２２上にトナー像を形成する現像部２４と、感光体ドラム２２上のトナー像を記録紙に転写する転写部２５と、トナー像が転写された記録紙を加熱してトナー像を記録紙に定着させる定着部２６と、記録部２１内の用紙搬送路中に設けられ、記録紙をスタックトレイ３又は原稿排出部２７まで搬送する搬送ローラ２８（２８１，２８２）等とを備える。
【００２１】
また、記録紙の両面に画像を形成する場合は、記録部２１で記録紙の一方の面に画像を形成した後、この記録紙を原稿排出部２７側の搬送ローラ２８１にニップされた状態とする。この状態で搬送ローラ２８１を反転させて記録紙をスイッチバックさせ、記録紙を用紙搬送路Ｌに送って記録部２１の上流域に再度搬送し、記録部２１により他方の面に画像を形成した後、記録紙をスタックトレイ３又は原稿排出部２７に排出する。
【００２２】
図２は、原稿読取部４の詳細な構造を示す図である。
【００２３】
図２に示すように、原稿読取部４は、トップページを上向きにしてページ順に原稿載置部１６に載置される原稿束から、１枚ずつ原稿を取り込んでその画像情報を読み取り、トップページを下向きにしてページ順に原稿排出部１７に排出するものであり、片面にのみ画像情報が形成された片面原稿のみならず、表裏両面に画像情報が形成された両面原稿についても表裏両面の画像情報を読み取るとともに、原稿束のページ順を変えてしまうことなく排出できるものである。
【００２４】
原稿載置部１６は、画像情報を有する原稿Ｐを積層して載置可能に構成された原稿載置部である。この原稿載置部１６の底部には、原稿載置部１６上の原稿Ｐの有無を検出する原稿セットセンサ２９が設けられている。
【００２５】
分離給紙部３０は、原稿載置部１６上に載置された原稿束から１枚ずつ原稿Ｐを取り込んで第１搬送路３１に給紙するものである。この分離給紙部３０では、原稿載置部１６の上方に配置された前送りローラ３２が、原稿載置部１６上の原稿Ｐを給紙ローラ３３及び分離コロ３４に向かって給紙する。そして、給紙ローラ３３が原稿載置部１６上の原稿Ｐを送り出すように回転駆動する一方、この給紙ローラ３３に摺接するように配置された分離コロ３４が、給紙ローラ３３からの圧力に応じた回転抵抗を生じながら従動回転することによって、原稿載置部１６上に載置された原稿束をさばき、その最上位置にある１枚の原稿Ｐを分離して第１搬送路３１に給紙するようになっている。フィードセンサ３５は、第１搬送路３１に給紙された原稿Ｐの先端部及び後端部を検出するものである。
【００２６】
第１搬送路３１は、分離給紙部３０から原稿反転部３６に至る搬送路である。この第１搬送路３１上には、レジストローラ対３７，３８が設けられており、原稿Ｐの先端揃えを行うようになっている。このレジストローラ３７の下流側は、第１搬送路３１から第５搬送路３９が分岐する第１分岐位置４０となっており、第１分岐位置４０に設けられた反転分岐レバー４１によって、第１分岐位置４０に搬送されてくる原稿Ｐの搬送経路を第１搬送路３１の下流側又は第５搬送路３９のいずれかに切り換えることができる。なお、第５搬送路３９は、片面原稿を搬送する際に用いられる搬送路である。
【００２７】
原稿反転部３６は、第１搬送路３１から搬入される原稿Ｐの搬送方向をスイッチバックさせて第２搬送路４２に排出することによって、搬送路上における原稿Ｐの表裏面（装置外側に向かう面と内側に向かう面）とを反転させるものである。原稿反転部３６は、正逆両方向に回転駆動可能な反転ローラ４３とこれに摺接する反転コロ４４を備えており、反転ローラ４３と反転コロ４４間の原稿Ｐを反転ローラ４３の正逆両方向の回転に応じて搬送して、原稿Ｐの搬送方向をスイッチバックさせることができる。
【００２８】
また、反転コロ４４は、反転コロ接離部４５によって反転ローラ４３に接離可能となっており、反転コロ４４が反転ローラ４３から離れた状態においては、反転ローラ４３と反転コロ４４間の原稿Ｐが上下に抵抗なく移動しうるフリー状態として、原稿反転部３６から先行原稿を排出しながら同時に次の原稿を原稿反転部３６に搬入することが可能となっている。
【００２９】
反転ローラ４３と反転コロ４４間の上側には、搬送方向がスイッチバックされる原稿Ｐが一時的に搬入されるスイッチバック路４６が、上記原稿載置部１６の上側に向かって延びるように設けられている。スイッチバック路４６は、上記分離給紙部３０の上方位置において、本装置本体の外方へ開口する開口部４７を有しており、長手の原稿Ｐをスイッチバックさせるときには、開口部４７から原稿Ｐの先端部分を一時的に本体部２の外方に排出する。
【００３０】
反転ローラ４３、反転コロ４４間の下側は、第１搬送路３１と第２搬送路４２とが分岐する第２分岐位置４８となっている。第２分岐位置４８には、第１搬送路３１の出口を狭めるように第２搬送路４２下側の壁面を延ばした突出片４９が設けられており、この突出片４９によって、第２分岐位置４８に第１搬送路３１から送られてきた原稿Ｐを原稿反転部３６へ搬送する一方、原稿反転部３６から搬出されてきた原稿Ｐは、第２搬送路４２に搬送する。
【００３１】
第２搬送路４２は、原稿反転部３６から原稿読み取り位置５０に至る搬送路である。第２搬送路４２上には、上搬送ローラ対５１，５２と下搬送ローラ対５３，５４が設けられており、第２搬送路４２上の原稿Ｐが原稿読み取り位置５０に搬送される。なお、片面原稿を搬送するための第５搬送路３９は、上搬送ローラ対５１，５２の上流側からこの第２搬送路４２に合流する。また、下搬送ローラ５３の上流位置にはタイミングセンサ５５が設けられており、原稿Ｐの先端部及び後端部を検出して、原稿読み取り位置５０における原稿読み取りのタイミングに供する。
【００３２】
原稿読み取り位置５０は、本体部２上面に設けられたコンタクトガラス１５とその上方に配置されたガイドローラ５６との隙間に形成されており、この原稿読み取り位置５０を搬送される原稿Ｐの下側面の画像情報を、所謂流し読み方式によって読み取るものである。原稿読み取り位置５０には、本体部２内に、原稿Ｐに光を照射する露光ランプ、原稿Ｐからの反射光を導光するレンズ系や反射ミラー、さらに導光された反射光から画像情報を検出する画像読取部１３等が備えられている。
【００３３】
第３搬送路５７は、原稿読み取り位置５０から原稿排出部１７に至る搬送路である。この第３搬送路５７には中間ローラ対５８，５９が設けられており、原稿Ｐをさらに下流側に搬送する。中間ローラ対５８，５９の下流側は、第３搬送路５７から第４搬送路６０が分岐する第３分岐位置６１となっており、この第３分岐位置６１に設けられた排出分岐レバー６２によって、原稿Ｐの搬送経路をこの第３分岐位置６１より下流側の第３搬送路５７又は第４搬送路６０のいずれかに切り換えることができる。なお、第４搬送路６０は、両面原稿の読み取りを行っている場合に、最初の面の読み取りを終えた原稿に対してさらに残りの面の読み取りを行うべく、原稿Ｐを第１搬送路３１のレジストローラ対３７，３８の上流側に戻すための搬送路である。両面原稿は、第４搬送路６０を搬送されて再び原稿反転部３６において搬送方向がスイッチバックされることでその表裏面が反転された後、残りの面の画像情報が読み取られ第３搬送路５７に戻ってくる。
【００３４】
原稿排出部１７は、画像情報の読み取りを終えた原稿Ｐが排出される部位である。この原稿排出部１７は、原稿載置部１６の下側に配置されており、第３搬送路５７の出口に設けられた排出ローラ対６３，６４から、片面の読み取りを終えた片面原稿及び両面の読み取りを終えた両面原稿が原稿載置部１６上にページ順通りに排出される。
【００３５】
以上の構成に加えて、本実施形態に係る複合機１においては、ガイドローラ５６の駆動を制御するためのローラ駆動制御機構が構成されている。図３は、ローラ駆動制御機構の構成を示す図である。
【００３６】
図３に示すように、ガイドローラ５６は、後述のシェーディング補正を行うためその周面が白色に配色されている。また、図３（ａ）に示すように、ガイドローラ５６の周面における周方向の所定位置には、軸方向に亘って黒色が配色された原稿サイズ検出用マークＭが設けられている。
【００３７】
本実施形態では、複合機１の起動時（電源がオンされたとき）には、シェーディング補正を行うべくガイドローラ５６の周面のうち白色部分を画像読取部１３のＣＣＤの撮像面に向け、原稿の画像を読み取る際には、この原稿画像の読取りとともに原稿サイズの検出を行うべく原稿サイズ検出用マークＭが原稿の背後でＣＣＤの撮像面に向いた状態とするようにしている。このように、原稿サイズ検出用マークＭの位置を認識する必要があるため、ガイドローラ５６の回転軸上に、該ガイドローラ５６と一体的に回転するパルス板６４が配設されている。パルス板６４には、周方向において前記原稿サイズ検出用マークＭと一致する位置に切欠き部６４ａが形成されており、原稿サイズ検出用マークＭと切欠き部６４ａとは、常に周方向において同一の位置を保ったまま移動する。
【００３８】
さらに、図３（ｂ）に示すように、発光素子６５と受光素子６６とがパルス板６４を挟んで対向配置されているとともに、原稿サイズ検出用マークＭがＣＣＤの撮像面に対向する位置に位置したとき、発光素子６５から出力される光が前記パルス板６４の切欠き部６４ａを介して受光素子６６により受光されるように構成されている。これにより、原稿サイズ検出用マークＭがＣＣＤの撮像面に対向する位置に位置したことを検出することができる。
【００３９】
図４は、複合機１の電気的構成を示すブロック図である。
【００４０】
図４に示すように、複合機１には、装置全体の動作制御を司る制御部６７が備えられており、制御部６７には、図１にそれぞれ示した原稿読取部４、原稿給送部５、操作部６及び記録部２１が接続されている。
【００４１】
また、制御部６７には、原稿読取部４によって読み取られた画像データ及び当該画像データに設定されている出力形式等を記憶するＨＤＤ（Hard Disk Drive）６８が接続されている。ＨＤＤ６８に記憶されている画像データは、複合機１に内部で使用されるだけでなく、必要に応じて、ネットワークＩ／Ｆ部６９を介してクライアントＰＣ等から確認したり、クライアントＰＣ等の所定のフォルダへ転送したりする。
【００４２】
画像処理部７０は、原稿読取部４によって読み取られた画像のデータや、ＨＤＤ６８から読み出した画像データに対して、必要に応じて加工処理等を行うものである。制御部６７は、画像処理部７０、原稿読取部４、操作部６及び記録部２１等との間で信号を送受信して、画像処理及び印刷処理の制御を行う。
【００４３】
画像処理部７０は、原稿読取部４によって原稿が読み取られると、原稿読取部４から出力されるアナログ画像信号をデジタル画像に変換し、画質を向上させる画像処理を施した後、圧縮画像に変換する。この圧縮画像は画像処理部７０内の図略の画像メモリに書き込まれる。制御部６７は、その画像メモリに書き込まれた圧縮画像を、文書管理の対象となるファイルデータとしてＨＤＤ６８に格納する。また、登録文書のプリントアウト時には、ＨＤＤ６８又はネットワーク上の各コンピュータから、プリントアウト対象のファイルデータ（圧縮画像）が画像メモリに書き出され、画像処理部７０は、当該圧縮されたファイルデータを伸張処理し、出力状態に応じて画像処理を施し、例えばレーザ露光の場合には、レーザ信号にアナログ変調する。このアナログ変調された信号に基づいて記録部２１でプリントアウトが行われる。
【００４４】
制御部６７は、複合機１が実行可能な各機構を制御するスキャナコントローラ、ファクシミリコントローラ、プリンタコントローラ、コピーコントローラ及びネットワークコントローラとして機能する。
【００４５】
スキャナコントローラは、スキャナ部の動作に必要な各部の動作制御を行うものである。ファクシミリコントローラは、ファクシミリ動作に必要な各部の動作制御を行うものであり、ファクシミリ通信に必要なデータの調整を行うファクシミリ通信部７１を制御する。ファクシミリ通信部７１には、データ送受信相手である相手先ファクシミリの電話回線の接続を制御するＮＣＵ（Network Control Unit）が備えられている。プリンタコントローラは、プリンタ動作に必要な各部の動作制御を行うものである。プリンタコントローラには、複数の信号線を用いて同時に数ビットまとめてデータを送るパラレル伝送で外部機器と接続するパラレルＩ／Ｆ部７２と、単一の信号を用いて１ビットずつ順次データを送るシリアル伝送で外部機器と接続するシリアルＩ／Ｆ部７３とが接続されている。コピーコントローラは、コピー動作に必要な各部の動作制御を行うものである。ネットワークコントローラは、本複合機１とネットワーク上のコンピュータ等との間で行われるデータ送受信を制御するものである。ネットワークコントローラは、ネットワークＩ／Ｆ部６９を介して外部とデータを送受信させる。
【００４６】
以上の構成に加えて、制御部６７は、ローラ駆動制御部７４と、撮像制御部７５と、シェーディング補正処理部７６と、原稿サイズ検出部７７とを備える。
【００４７】
ローラ駆動制御部７４は、前記ローラ駆動制御機構に備えられる受光素子６６から出力される受光信号に基づき、ガイドローラ５６の駆動を制御するものである。すなわち、ローラ駆動制御部７４は、画像読取位置に搬送されてくる原稿の画像を読み取る際、各原稿の先頭部分が画像読取位置に搬送されるタイミングで原稿サイズ検出用マークＭがＣＣＤの撮像面に対向するようにガイドローラ５６の回転を制御する。なお、図示していないが、画像読取位置の手前で原稿の存在を検出するセンサが設けられており、このセンサからの検出信号を用いて各原稿の先頭部分が画像読取位置に搬送されるタイミングを図る。
【００４８】
また、ローラ駆動制御部７４は、複合機１の電源がオンされると、シェーディング補正を行うべく、ガイドローラ５６における白色部分の周面がＣＣＤの撮像面に対向するようにガイドローラ５６を駆動する。
【００４９】
撮像制御部７５は、ローラ駆動制御部７４によるガイドローラ５６の駆動後、ＣＣＤの撮像動作を行わせるものである。
【００５０】
シェーディング補正処理部７６は、各画素の受光感度や暗電流等の特性のばらつき、あるいは光源の発光量のばらつき等に起因して生じる各画素間の実質的な感度のばらつきを補正するシェーディング補正処理を行うものである。シェーディング補正処理部７６は、予め暗状態でＣＣＤの撮像動作により得られるデジタル信号と、基準として設定した白色に露光ランプで光を照射したときの反射光を受光して得られるデジタル信号（以下、白データという）とにおいて、画素ごとのレベル差を算出し、算出したレベル差のうち最大のレベル差を各画素に対して算出されたレベル差で除した値を、各画素についての補正係数として設定する。そして、原稿画像を読み取るとき、ＣＣＤの出力信号に補正係数を乗じることで、各画素間の実質的な感度のばらつきを補正する。本実施形態では、前記白データを得るために、複合機１が起動されシェーディング補正処理を行う際には、ガイドローラ５６の周面（白色部分）を基準の白色として設定してこの白色部分をＣＣＤにより撮像してシェーディング補正を行うようにしている。
【００５１】
原稿サイズ検出部７７は、原稿サイズ（記録紙の幅）を検出するものである。図５に示すように、前記原稿サイズ検出用マークＭをＣＣＤの撮像面に対向させた状態で原稿の画像の読取動作を行うと、原稿サイズ検出用マークＭの一部が原稿の存在により画像として写らず、ＣＣＤにより撮像された原稿サイズ検出用マークＭの画像は一部欠落した画像となる。原稿サイズ検出部７７は、その欠落した部位Ｘの長さＬを検出することで、原稿のサイズ（幅）を検出する。例えば原稿が白色のものであるとすると、欠落した部位Ｘの長さＬは、原稿の幅方向（図５の縦方向）に対応する方向に並ぶＣＣＤの画素について、白色を受光した画素の数等を用いて算出することができる。
【００５２】
なお、制御部６７は、コンピュータ（図略）を備えており、プログラムに基づいて当該コンピュータが動作することにより、図４に示した制御部６７の各要素の機能が実現する。上記プログラムは、ＲＯＭ、ＣＤ−ＲＯＭ等の記録媒体を通じて供給することも、通信回線等の伝送媒体を通じて供給することも可能である。
【００５３】
次に、本実施形態の複合機１の特徴部分であるガイドローラ５６の駆動動作を、図６に示すフローチャートを用いて説明する。なお、ここでは、複合機１は、原稿のサイズの検出が必要なコピーモード（スキャナモードでもよい）が設定されているものとする。
【００５４】
図６に示すように、複合機１の電源がＯＮされると（ステップＳ１でＹＥＳ）、ローラ駆動制御部７４は、ガイドローラ５６の周面のうち白色部分がＣＣＤの撮像面に対向するようにガイドローラ５６を駆動し（ステップＳ２）、シェーディング補正処理部７６は、この状態で撮像された画像を用いてシェーディング補正処理を行う（ステップＳ３）。
【００５５】
そして、定着部２６の定着温度が一定値を超える等、コピー動作が実行可能な条件を満たすと（ステップＳ４でＹＥＳ）、コピー可能な状態となり、ユーザによるコピー指示を待機するモードとなる（ステップＳ５でＮＯ）。ユーザによるコピーの指示が行われると（ステップＳ５でＹＥＳ）、ローラ駆動制御部７４は、原稿の先頭部分が画像読取位置に搬送されるタイミングで原稿サイズ検出用マークＭがＣＣＤの撮像面に対向するようにガイドローラ５６の駆動を制御し（ステップＳ６）、原稿読取部４は、原稿画像の読取り動作を行う（ステップＳ７）。そして、画像の読み取りを行うべき原稿が残っている場合には（ステップＳ８でＮＯ）、ステップＳ６及びＳ７の処理を繰り返し行い、原稿載置部１６に載置された全ての原稿について、画像の読み取りを行うべき原稿がなくなると（ステップＳ８でＹＥＳ）、ローラ駆動制御部７４によるガイドローラ５６の駆動制御及び原稿読取部４による画像読取動作が終了する。
【００５６】
このように、ガイドローラ５６の周面において、周方向の所定位置に軸方向に亘って黒色が配色された原稿サイズ検出用マークＭを設け、各原稿の画像を読み取る際には、原稿サイズ検出用マークＭをＣＣＤの撮像面に対して原稿の背後に位置させた上で撮像し、原稿サイズ検出用マークＭの画像において欠落した部位Ｘの長さＬを検出することで原稿のサイズを検出するようにしたので、原稿サイズの異なる原稿が混在した状態で原稿載置部１６に載置された場合であっても、コストアップや大型化を招くことなく、各原稿のサイズを確実に検出することができる。
【００５７】
また、シェーディング補正を行うためのガイドローラ５６を原稿サイズ検出用として兼用したので、前記のように原稿サイズ検出用マークＭを設けるローラを別途備える必要がない分、複合機１のコストアップや大型化を抑制することができる。
【００５８】
なお、本発明は、上記実施形態に限らず、次の変形形態（１）〜（４）も採用可能である。
【００５９】
（１）前記実施形態では、原稿サイズ検出用マークＭがＣＣＤの撮像面に対向するようにガイドローラ５６を駆動する動作を原稿ごとに行うようにしたが、これに限らず、例えば原稿載置部１６に載置された原稿束の最初の原稿に対してのみ行ったり、所定枚数おきに行ったりする等、原稿サイズの検出動作のタイミングは適宜変更可能である。
【００６０】
（２）本発明は、前述の流し読み方式により原稿の画像を読み取る構成に限らず、各原稿が少なくとも画像読取位置に搬送される直前には、原稿サイズ検出用マークＭがＣＣＤの撮像面に対応するようにガイドローラ５６を停止させておいて、原稿が画像読取位置に搬送されると、ガイドローラ５６を回転駆動させるタイプのものにも適用可能である。
【００６１】
（３）原稿サイズ検出用マークＭがＣＣＤの撮像面に対向する位置に位置したことを検出する機構は上記のものに限らず、例えば、パルス板６４に対して同じ側に発光素子及び受光素子を配置するとともに、上記原稿サイズ検出用マークＭに対応するパルス板６４の位置に反射鏡を取り付け、発光素子から出力される光が反射鏡により受光素子に反射されることで前記基準位置を検出する構成であってもよい。また、原稿サイズ検出用マークＭの色は黒色に限らず、白色以外の色であれば何でもよい。
【００６２】
（４）画像形成装置には、スキャナ、ファクシミリ等の電子写真プロセスを用いるもの全般をいい、本発明は、これら全てに適用可能である。
【図面の簡単な説明】
【００６３】
【図１】本発明に係る画像形成装置の一例である複合機の内部構成を概略的に示す側面図である。
【図２】原稿読取部の詳細な構造を示す図である。
【図３】ローラ駆動制御機構の構成を示す図である。
【図４】複合機の電気的構成を示すブロック図である。
【図５】原稿サイズの検出方法を説明するための図である。
【図６】ガイドローラの駆動動作を示すフローチャートである。
【符号の説明】
【００６４】
５６  ガイドローラ
６４  パルス板
６４ａ  切欠き部
６５  発光素子
６６  受光素子
７４  ローラ駆動制御部
７５  撮像制御部
７６  シェーディング補正処理部
７７  原稿サイズ検出部
Ｍ  原稿サイズ検出用マーク
【図１】
2005136792.tif 000003
【図２】
2005136792.tif 000004
【図３】
2005136792.tif 000005
【図４】
2005136792.tif 000006
【図５】
2005136792.tif 000007
【図６】
2005136792.tif 000008